(57)【要約】      （修正有）【課題】ベッドで伏せている被介護者の着替え、オムツの取り換え、便器の使用に際して、被介護者の下半身を持ち上げ、介護作業を容易に行う介護補助器具において、安価で且つ介護作業が容易に行える器具を提供する。【解決手段】ベッドａのサイドガートｂに着脱自在なベッド装着部を付設した支柱及び支柱中間位置に枢結した作動杆とを備え、支柱上方の前方側に突設した庇状のアール面部１２上を跨ぐ吊り下げバンド３を、作動杆の適宜位置に基部を連結すると共に、先端に掛け止め部３１を設けた２個の介護補助具と、適宜な長さ及び幅を備えた帯部４、及び帯部両端に連結部（連結棒５）を設けた持ち上げ帯とで構成してなる。【選択図】図３
0003157412.tif 000002
【実用新案登録請求の範囲】
【請求項１】
前方側でベッドのサイドガードに着脱自在なベッド装着部を付設した支柱と、前記支柱の中間位置に先端を枢結して、支柱後方で支柱の上方に添う位置から下方に添う位置まで回動するように設けた作動杆とを備え、前記支柱の上方の前方側に突設した庇状のアール面部を設け、適宜長さの吊り下げバンドを、作動杆を支柱の下方側に添わせた際に、前記枢結位置より前方側に位置する個所に基部を連結すると共に、先端に掛け止め部を設けて、前記アール面部上を移動可能に配設してなることを特徴とする介護補助具。
【請求項２】
支柱が、後方開口の断面コ状の本杆部で形成されると共に、前記本杆部上方の前面を延出してアール面部を設け、作動杆が、前記支柱本杆部の内方に重なり合う後方開口の断面コ状の腕杆部で形成され、吊り下げバンドを前記腕杆部の内方に配置すると共に、腕杆部の基端に操作ハンドルを設けてなる請求項１記載の介護補助具。
【請求項３】
本杆部の前面に縦長孔及び横長孔を多段に且つ複数並設し、前記縦長孔及び横長孔に止着バンドを挿通してベッド装着部を構成してなる請求項２記載の介護補助具。
【請求項４】
作動杆を支柱の下方側に添わせた際に、作動杆と支柱とを固定する固定部を付設してなる請求項１乃至３記載の何れかの介護補助具。
【請求項５】
前方側でベッドのサイドガードに着脱自在なベッド装着部を付設した支柱、及び前記支柱の中間位置に先端を枢結して、支柱後方で支柱の上方に添う位置から下方に添う位置まで回動するように設けた作動杆とを備え、前記支柱の上方の前方側に突設した庇状のアール面部を設け、適宜長さの吊り下げバンドを、作動杆を支柱に添わせた際に、前記枢結位置より前方側に位置する個所に基部を連結すると共に、先端に掛け止め部を設けて、前記アール面部上を移動可能に配設してなる２個の介護補助具と、ベッドの幅に対応する適宜な長さと、適宜な幅を備えた帯部及び帯部の長さ方向両端に、前記吊り下げバンドの掛け止め部と連結可能とした連結部を設けた持ち上げ帯とで構成してなる介護補助具セット。
【請求項６】
持ち上げ帯の連結部を、中間部分を切欠した両端筒状部と、前記筒状部に挿通する連結棒で構成し、掛け止め部を鉤状に形成して、筒状部に挿通し中間部分で露出した連結棒に、掛け止め部を係止して介護補助具と持ち上げ帯を連結してなる請求項５記載の介護補助具セット。
【請求項７】
筒状部を、長さ方向に複数連設してなる請求項６記載の介護補助具セット。
【請求項８】
支柱が、後方開口の断面コ状の本杆部で形成されると共に、前記本杆部上方の前面を延出してアール面部を設け、作動杆が、前記支柱本杆部の内方に重なり合う後方開口の断面コ状の腕杆部で形成され、吊り下げバンドを前記腕杆部の内方に配置すると共に、腕杆部の基端に操作ハンドルを設けてなる請求項５乃至７記載の何れかの介護補助具セット。
【請求項９】
本杆部の前面に縦長孔及び横長孔を多段に且つ複数並設し、前記縦長孔及び横長孔に止着バンドを挿通してベッド装着部を構成してなる請求項８記載の介護補助具セット。
【請求項１０】
作動杆を支柱の下方側に添わせた際に、作動杆と支柱とを固定する固定部を付設してなる請求項６乃至９記載の何れかの介護補助具セット。
【考案の詳細な説明】
【技術分野】
【０００１】
本考案は、ベッドで伏せている被介護者の着替え等を行う介護作業時に使用する介護補助具及び介護補助具セットに関するものである。
【背景技術】
【０００２】
ベッドで伏せている被介護者の着替え、オムツの取り換え、便器の使用に際しては、被介護者の下半身を持ち上げて作業をする必要があり、従前から被介護者の下半身の持ち上げを実施する種々の介護補助装置が提案されている。
【０００３】
手動器具として、特許文献１（特開平９−２７６３４２号公報）には、ベッドの両側に軸支したコ状回動杆の側杆間に足首連結部を設け、被介護者の足首を足首連結部に連結し、回動杆の横杆を介護作業者が持ち上げ、被介護者の脚全体を持ち上げるようにしている器具が示されている。
【０００４】
また特許文献２（登録実用新案３０３０８５９号）には、ベッドを跨ぐように架設した架橋体の上方横杆を回転自在の巻取り軸とし、前記巻取り軸で被介護者の膝部分に連結した紐体を巻き上げて、被介護者の脚を持ち上げる器具が開示されている。
【０００５】
更に特許文献３（特開平７−３２８０７６号公報）には、被介護者の腰部を載せることのできる幅の帯部材を、ベッド両側に沿って平行に配した一対の掛け渡し部を介して、モータ駆動されるテンション調節機構に連結し、帯部材へのテンション印加によって被介護者の腰部を持ち上げる装置が開示されている。
【先行技術文献】
【特許文献】
【０００６】
【特許文献１】特開平９−２７６３４２号公報。
【特許文献２】登録実用新案３０３０８５９号。
【特許文献３】特開平７−３２８０７６号公報。
【考案の概要】
【考案が解決しようとする課題】
【０００７】
前記の特許文献１，２に開示されている手動器具は、基本的に被介護者の脚を持ち上げるもので、例えば下着の着せ替えに際しては、足首や膝と連結した持ち上げ部材が邪魔になり、また脚が持ち上げられても、臀部がベッド面と接しているので、オムツの取り換え作業も困難である。
【０００８】
これに対して特許文献３に開示されているように被介護者の腰部を持ち上げる装置においては、前記の介護作業に支障は生じないが、モータなどの機械装置をベッドに組み込むため、当該ベッドが被介護者専用のベッドとして使用が制限され（重量が重くなり、且つベッド両側に掛け渡し部が起立状態となり使い難い）、且つ装置自体が高価なものとなり、一般的な普及は望めない。
【０００９】
そこで本考案は、簡易な構造で且つ安価で提供できる介護補助具及び介護補助具セットを提案したものである。
【課題を解決するための手段】
【００１０】
本考案（請求項１）に係る介護補助具は、前方側でベッドのサイドガードに着脱自在なベッド装着部を付設した支柱と、前記支柱の中間位置に先端を枢結して、支柱後方で支柱の上方に添う位置から下方に添う位置まで回動するように設けた作動杆とを備え、前記支柱の上方の前方側に突設した庇状のアール面部を設け、適宜長さの吊り下げバンドを、作動杆を支柱の下方側に添わせた際に、前記枢結位置より前方側に位置する個所に基部を連結すると共に、先端に掛け止め部を設けて、前記アール面部上を移動可能に配設してなることを特徴とするものである。
【００１１】
また本考案（請求項７）に係る介護補助具セットは、前記の介護補助具２個と持ち上げ帯とで構成してなるもので、持ち上げ帯が、ベッドの幅に対応する適宜な長さと、適宜な幅を備えた帯部、及び帯部の長さ方向両端に、吊り下げバンドの掛け止め部と連結可能とした連結部を設けてなることを特徴とするものである。
【００１２】
而して持ち上げ帯をベッド上における被介護者の腰部の下に敷いておくと共に、２個の介護補助具をベッドのサイドガードに各々起立状態で装着固定しておき、被介護者のオムツの取り換え等の介護作業を行う際に、作動杆を支柱上方位置まで回動し、吊り下げバンドをアール面部上に添わせて掛け止め部を垂下し、掛け止め部を持ち上げ帯の連結部に連結し、左右の作動杆を下方へ枢結軸を中心に回動すると、吊り下げバンドが作動杆に引っ張られて被介護者の腰部が持ち上げられる。特に作動杆を下方回動して支柱に添わせた状態に至ると、吊り下げバンドの基部が枢結位置より前方側に位置することになるので、作動杆は前記の操作方向に回動しようとする力が作用するので、作動杆から手を離しても被介護者の腰部は持ち上げられた状態となるので、そのまま被介護者に対する介護作業を実施することができる。
【００１３】
また本考案（請求項２）に係る介護補助具は、特に支柱が、後方開口の断面コ状の本杆部で形成されると共に、前記本杆部上方の前面を延出してアール面部を設け、作動杆が、前記支柱本杆部の内方に重なり合う後方開口の断面コ状の腕杆部で形成され、吊り下げバンドを前記腕杆部の内方に配置すると共に、腕杆部の基端に操作ハンドルを設けてなるもので、支柱の内方に作動杆が重なり合う状態となり、全体をコンパクトに形成することができると共に、支柱の前面が作動杆の前面に当接することで作動杆の回動ストッパーとして作用することになる。
【００１４】
また本考案（請求項６，７）に係る介護補助具セットは、特に、持ち上げ帯の連結部を、中間部分を切欠した両端筒状部と、前記筒状部に挿通する連結棒で構成し、掛け止め部を鉤状に形成して、筒状部に挿通して中間部分で露出した連結棒に掛け止め部を係止して介護補助具と持ち上げ帯を連結してなるもので、持ち上げ帯が幅広の状態を維持したままで被介護者の腰部の持ち上げができ、更に筒状部を、特に長さ方向に複数連設すると、連結棒を挿着する筒状部の選択を行うことで、ベッドの幅の相違に対して対応できるものである。
【考案の効果】
【００１５】
本考案の構成は上記のとおりで、介護補助具はベッドサイドに起立することになり、且つ被介護者の腰部を持ち上げるものであるから、介護補助具が介護作業の邪魔になることが無く、被介護者の両下肢が自由であるので、介護作業も容易に行うことができる。而も手動器具であり、且つベッドのサイドガードに着脱して使用することができるので、特別なベッド設備を必要とせずに安価に提供できるものである。
【図面の簡単な説明】
【００１６】
【図１】本考案の実施形態のセット全体の説明図。
【図２】同介護補助具の斜視図。
【図３】同使用状態の説明図（全体斜視図）。
【図４】同使用状態の説明図（ベッド側方からの動作説明図）。
【図５】同使用状態の説明図（ベッドの頭方からの動作説明図）。
【考案を実施するための形態】
【００１７】
次に本考案の実施形態について説明する。実施形態に示した介護補助具セットは、２個の介護補助具Ａと、１個の持ち上げ帯Ｂで構成される。
【００１８】
介護補助具Ａは、支柱１と、作動杆２と、吊り下げバンド３で形成されるもので、支柱１は、本杆部１１、アール面部１２、止着バンド１３ａ，１３ｂ，１３ｃを備えてなるものである。
【００１９】
本杆部１１は、適宜長さの後方開口の断面コ状の棒状体で形成されると共に、上方の前面を庇状に延出してアール面部１２を突設し、更に前面に縦長孔１４，及び横長孔１５を多段に且つ複数並設し、装着対象となるベッドａのサイドガードｂの形状（装着すべきサイドガードｂの縦横杆の位置）に対応して選択した縦長孔１４及び横長孔１５に各々止着バンド１３ａ，１３ｂ，１３ｃを挿通してベッド装着部を構成してなる。尚止着バンド１３ａ，１３ｂ，１３ｃは、一端にバンド返しを設け、バンド面に面ファスナーを備えたもので、折り返したバンド面を互いに絡着して止着するようにしたものである。
【００２０】
作動杆２は、腕杆部２１と操作ハンドル２２とを備え、支柱１と枢結（枢結部２３）すると共に、枢結部２３を中心とした回動を阻止する固定部２４を付設したものである。
【００２１】
腕杆部２１は、前記の支柱１の本杆部１１の内方に重なり合うように後方開口の断面コ状の棒状体で、先端が本杆部１１の中間に位置し、全体が本杆部１１の下方で重ね合わさった状態（以下この状態を「下方重なり状態」という）で、腕杆部２１の先端側面と本杆部１１の側面とを枢結して腕杆部２１を回動自在としたものである。
【００２２】
更に腕杆部２１が前記下方重なり状態で、本杆部１１の下端から露出した腕杆部２１に、回動面と直交する方向に操作ハンドル２２を装着し、更に前記の下方重なり状態で、腕杆部２１の回動を阻止する固定部２４を設けるもので、前記固定部２４は、本杆部１１の側面に設けた面ファスナー２４１と、腕杆部２１に設けたファスナーバンド２４２で形成される。
【００２３】
吊り下げバンド３は、腕杆部２１の内方に納まる幅で相応の強度を備えた適宜長さのもので、先端に鉤状の掛け止め部３１を設け、腕杆部２１の下方重なり状態で、枢結部２３の位置より前面側に位置する個所に、基部３２を連結してなるものである。
【００２４】
持ち上げ帯Ｂは、帯部４と、連結棒５で構成され、帯部４は、被介護者ｃの腰部を持ち上げるのに十分な強度と幅を備えたもので、ベッドの幅に対応する適宜な長さで、両端部分に、前記連結棒５が挿入される大きさの筒状部４１を、複数連設すると共に、筒状部４１を幅方向で二分するように、中間部分を切欠して、筒状部４１に挿通した連結棒５の中間部分が切欠個所で露出するようにしたものである。
【００２５】
而して前記の介護補助具セットを使用するには、持ち上げ帯Ｂをベッドａ上における被介護者ｃの腰部に該当する個所に敷いておき、２個の介護補助具Ａをベッドａの左右のサイドガードｂに各々起立状態で装着固定するものである。この際に連結棒５を挿着すべき筒状部４１は、ベッドａの幅や、被介護者ｃの持ち上げ高さ等を考慮して選択される。
【００２６】
介護補助具Ａのサイドガードｂへの装着固定は、持ち上げ帯Ｂの敷いた個所の中央に当たる位置のサイドガードｂの上方横杆にアール面部１２を引っ掛け、横長孔１５に挿通した止着バンド１３ａを、サイドガードｂの上下横杆間に掛け回して面ファスナーの絡着で止着し、更に縦長孔１４に挿通した止着バンド１３ｂ，１３ｃを、サイドガードｂの左右の縦杆間に掛け回して、同様に止着するもので、サイドガートｂの縦杆及び横杆の位置に対応して、止着バンド１３ａ，１３ｂ，１３ｃの挿通する縦横長孔１４，１５を選択するものである。
【００２７】
ベッドａのサイドガードｂに介護補助具Ａを固定した後に、本介護補助具セットを使用して被介護者ｃのオムツの取り換え等の介護作業を行うもので、前記の作業に際しては、作動杆２を支柱１の上方位置まで回動させる。前記の回動によって吊り下げバンド３の基部位置が上方に移行し、アール面部１２上に添って垂下する掛け止め部３１までの長さが延びることになる。
【００２８】
そこで前記の掛け止め部３１を、持ち上げ帯Ｂの連結棒５における中間露出部分に引っ掛け（図４イ、図５イ）、操作ハンドル２２を把持してゆっくりと作動杆２を下方に回動すると、吊り下げバンド３の基部３２の位置が下方に移行するので、アール面部１２に添って移動する吊り下げバンド３の先端の掛け止め部３１は、上方に持ち上げられることになる。
【００２９】
更に操作ハンドル２２を回動させて下方重なり状態の位置まで達すると、基部３２は、枢結部２３より前面側に位置し、且つ吊り下げバンド３も枢結部２３の中心よりも前面側を通過することになるので、下方重なり状態では、持ち上げ帯Ｂに加わる荷重は、作動杆を前面側に回動させようとする力として作用するので、吊り下げハンドルは固定状態となる（図４ロ、図５ロ）。
【００３０】
従って吊り下げバンド３の固定状態（＝下方重なり状態）では、被介護者ｃの腰部を持ち上げた状態で安定することになるので、介護作業を容易に実施することができる。
【００３１】
特に介護作業中に、操作ハンドル２２に触れて、作動杆２が上方回動すると、被介護者ｃの腰部がベッドａ上に落ちてしまう危険があるので、前記の下方重なり状態では、ファスナーバンド２４２を面ファスナー２４１に止着して、作動杆２の不測の回動を阻止する。
【００３２】
介護作業を終了する際には、固定部２４の固定を解除して、操作ハンドル２２をゆっくりと上方へ回動操作し、掛け止め部３１と連結棒５の連結を解除して、作動杆２を下方重なり状態に戻しておく。
【００３３】
このように前記の介護補助具セットは、一人で容易に介護作業を行うことができ、介護作業終了後もそのままサイドガートｂに装着固定しておいたとしても、単にサイドガートｂと一体となっているので、その他の介護作業や看護には全く影響を与えない。
【００３４】
また本考案の介護補助セットは、前記のオムツ替え等の介護作業の他に、片側の介護補助具のみを動作させると、被介護者の身体が腰部で傾くので、それに伴って背中全体のベッド当接位置を変化させることができ、床ずれ防止に役立つものである。
【符号の説明】
【００３５】
Ａ      介護補助具
Ｂ      持ち上げ帯
１      支柱
１１    本杆部
１２    アール面部
１３ａ，１３ｂ，１３ｃ  止着バンド
１４    縦長孔
１５    横長孔
２      作動杆
２１    腕杆部
２２    操作ハンドル
２３    枢結部
２４    固定部
２４１    面ファスナー
２４２    ファスナーバンド
３      吊り下げバンド
３１    掛け止め部
３２    基部
４      帯部
４１    筒状部
５      連結棒
【図１】
0003157412.tif 000003
【図２】
0003157412.tif 000004
【図３】
0003157412.tif 000005
【図４】
0003157412.tif 000006
【図５】
0003157412.tif 000007